(57)【要約】【課題】  室内装飾用の火山造形の観賞用水槽セットを提供する。【解決手段】  主にケース体２の前面に展示窓２１１を設置し、該展示窓２１１を通じて該ケース体２内部の透明ボックス３を直視可能である。該透明ボックス３内部には複数の粒子３３と固定した造形火山３５を設置し、液体３２を満たす。該透明ボックス３下方には駆動装置４を設置し、該駆動装置４のモーター４２が運転すると、該透明ボックス３内の液体３２は循環流動し、該複数の粒子３３を連動し、該造形火山３５内部の導流管３６より上向きに噴出させる。一方、該ケース体２の上端には発光組５１を設置し、光電制御組５により制御し、色彩が変化する灯光を該造形火山上方へと照射させる。【選択図】  図１
0003109592.tif 000002
【実用新案登録請求の範囲】
【請求項１】
ケース体、透明ボックス、駆動装置、光電制御組を含み、
該ケース体は前面に展示窓を設置し、
該透明ボックスは該ケース体内部に結合し、該透明ボックス前面の大部分の面積は該展示窓より外部へと出現し、該透明ボックス内部には液体、複数の微小粒子、造形火山を設置し、該造形火山内部には導流管を設置し、該透明ボックスの底端には錐部を設置し、該複数の微小粒子は下へと滑り移動し、該錐部の中央部には錐管を設置し、該錐部の錐面上には複数の貫通孔を設置し、該透明ボックス内の液体を上下に流通させ、
該駆動装置は該透明ボックスの錐部下方に結合し、底ボックス、モーターを含み、該底ボックス上端と該錐部の錐管、貫通孔は連通し、該モーターは横方向に設置し、その両端はそれぞれ該底ボックスの内外両側に位置し、該モーターの該底ボックス内側に位置する一端には複数の羽片を設置し、
該光電制御組は発光組、回路板を含み、
該回路板は該ケース体内部に結合し、該発光組は該後ケース体上端に結合し、該回路板と該発光組、該モーターは電気的に接続し、制御スイッチによりオン/オフを制御され、こうして該発光組は色彩の変化する灯光を造形火山上方へと照射可能で、該モーターの通電後、該モーター一端の複数の羽片は快速回転し、該底ボックス内の液体は上方へと流動し、該複数の粒子は該造形火山内部の導流管より上向きに噴出することを特徴とする火山造形の観賞用水槽セット。
【請求項２】
前記ケース体は前ケース体、後ケース体により組合せ構成し、該前ケース体の前面は弧状を呈し、前記透明ボックス上端には注水口と封鎖蓋を設置することを特徴とする請求項１記載の火山造形の観賞用水槽セット。
【請求項３】
前記発光組は複数の異なる色の発光ダイオード(LED)により構成することを特徴とする請求項１記載の火山造形の観賞用水槽セット。
【請求項４】
前記ケース体上にはユニバーサルシリアルバス(USB)コンセントを設置し、コンピュータCPUに接続し、電流の提供を受けることもできることを特徴とする請求項１記載の火山造形の観賞用水槽セット。
【請求項５】
前記導流管の下半部分は下方へと徐々に広がるラッパ状を呈し、前記導流管下方の複数の粒子を集めることを特徴とする請求項１記載の火山造形の観賞用水槽セット。
【考案の詳細な説明】
【技術分野】
【０００１】
本考案は一種の火山造形の観賞用水槽セットに関する。特に一種の光電制御組により制御され、発光組は色彩の変化する灯光を発し、造形火山上方に照射し、モーターが通電すると液体の流動を連動し、複数の粒子は造形火山内部から上方へと噴出し、人が緊張状態にある時、精神的リラックス効果を達成し、気分が落込んでいる時には、感覚を刺激し活力を活性化する室内装飾用の火山造形の観賞用水槽セットに係る。
【背景技術】
【０００２】
現代生活は人々に効率とスピードを求め、それに従い人間の精神は常に緊張状態に置かれ、なかなかリラックスを得られないようになって来ている。これに対し、人々の精神状態を調整し緊張を和らげようと、社会は様々な方式のレジャーを提供している。
各種レジャーの中でも、熱帯魚の飼育は非常にポピュラーなものである。魚が悠然と水中を浮遊し泳ぎまわる様子を見る時、人々の激した心持は静まり、リラックスすることができる。
しかし、熱帯魚の飼育には一定時間の餌やり、水換え、掃除など様々な時間と労力を要する作業が必要で、魚が病気になれば治療も必要である。さらに、魚が不幸にも死んでしまえば、人は悲しみに沈むため、リラックスという予期の効果を達成できないことになってしまう。
このため、産業界では各種の観賞用水槽セットが発明された。これにより人々は熱帯魚を飼うための面倒を排除しながら心を落ち着けることができる。
【特許文献１】特許公開２００１−３３３６４１
【考案の開示】
【考案が解決しようとする課題】
【０００３】
本考案は上記構造の問題点を解決した火山造形の観賞用水槽セットを提供するものである。
それはデザイン、作動方式、音や光の変化の組合せの視覚的な刺激によりリラックス効果を達成することができ、すなわち本考案は人間が緊張状態にある時、それを和らげる効果があり、気持ちが沈んでいる時には、火山の噴火と灯光の変化により感覚を刺激し、活力を蘇らせることができ、
さらに駆動装置により透明ボックス内の液体を上へと流動させ、複数の粒子を連動し、造形火山内部より上向きにゆっくりと噴出させ、固定したリズムを形成史、これにより観賞者の気持ちを落ち着かせることができ、
また、発光装置は回路板と制御スイッチの制御により、色彩の変化する灯光を連続爆発する火山上方へと照射可能で、感覚器官への刺激を増強し、その活力を活性化することができる。
【課題を解決するための手段】
【０００４】
上記課題を解決するため、本考案は下記の火山造形の観賞用水槽セットを提供する。
それは主にケース体、透明ボックス、駆動装置、光電制御組を含み、
該ケース体は前面に展示窓を設置し、
該透明ボックスは該ケース体内部に結合し、該透明ボックス前面の大部分の面積は該展示窓より外部へと出現し、該透明ボックス内部には液体、複数の微小粒子、造形火山を設置し、該造形火山内部には導流管を設置し、該透明ボックスの底端には錐部を設置し、該複数の微小粒子は下へと滑り移動し集中し、該錐部の中央部には錐管を設置し、該錐部の錐面上には複数の貫通孔を設置し、該透明ボックス内の液体を上下に流通させ、
該駆動装置は該透明ボックスの錐部下方に結合し、中空の底ボックス、横方向に設置するモーターを含み、該底ボックス上端と該錐部の錐管、貫通孔は連通し、該モーターの両端はそれぞれ該底ボックスの内外両側に位置し、該モーターの該底ボックス内側に位置する一端には複数の羽片を設置し、
該光電制御組は発光組、回路板を含み、
該回路板は該ケース体内部に結合し、該発光組は該後ケース体上端に結合し、該回路板と該発光組、該モーターは電気的に接続し、制御スイッチによりオン/オフを制御され、こうして該発光組は色彩の変化する灯光を造形火山上方へと照射可能で、該モーターの通電後、該モーター一端の複数の羽片は快速回転し、該底ボックス内の液体は上方へと流動し、該複数の粒子は該造形火山内部の導流管より上向きに噴出することを特徴とする火山造形の観賞用水槽セットである。
すなわち本考案の火山造形の観賞用水槽セットは、請求項１に記載するように、
ケース体、透明ボックス、駆動装置、光電制御組を含み、
該ケース体は前面に展示窓を設置し、
該透明ボックスは該ケース体内部に結合し、該透明ボックス前面の大部分の面積は該展示窓より外部へと出現し、該透明ボックス内部には液体、複数の微小粒子、造形火山を設置し、該造形火山内部には導流管を設置し、該透明ボックスの底端には錐部を設置し、該複数の微小粒子は下へと滑り移動し、該錐部の中央部には錐管を設置し、該錐部の錐面上には複数の貫通孔を設置し、該透明ボックス内の液体を上下に流通させ、
該駆動装置は該透明ボックスの錐部下方に結合し、底ボックス、モーターを含み、該底ボックス上端と該錐部の錐管、貫通孔は連通し、該モーターは横方向に設置し、その両端はそれぞれ該底ボックスの内外両側に位置し、該モーターの該底ボックス内側に位置する一端には複数の羽片を設置し、
該光電制御組は発光組、回路板を含み、
該回路板は該ケース体内部に結合し、該発光組は該後ケース体上端に結合し、該回路板と該発光組、該モーターは電気的に接続し、制御スイッチによりオン/オフを制御され、こうして該発光組は色彩の変化する灯光を造形火山上方へと照射可能で、該モーターの通電後、該モーター一端の複数の羽片は快速回転し、該底ボックス内の液体は上方へと流動し、該複数の粒子は該造形火山内部の導流管より上向きに噴出することを特徴とする。
請求項２に記載するように、前記ケース体は前ケース体、後ケース体により組合せ構成し、該前ケース体の前面は弧状を呈し、前記透明ボックス上端には注水口と封鎖蓋を設置することを特徴とする。
請求項３に記載するように、前記発光組は複数の異なる色の発光ダイオード(LED)により構成することを特徴とする。
請求項４に記載するように、前記ケース体上にはユニバーサルシリアルバス(USB)コンセントを設置し、コンピュータCPUに接続し、電流の提供を受けることもできることを特徴とする。
請求項５に記載するように、前記導流管の下半部分は下方へと徐々に広がるラッパ状を呈し、前記導流管下方の複数の粒子を集めることを特徴とする。
【考案の効果】
【０００５】
上記のように、本考案は単独で制御スイッチを切り替え可能であるため、モーター駆動により該透明ボックス内の液体を上へと流動させ、複数の粒子を連動し、造形火山内部より上向きにゆっくりと噴出させ、この固定したリズムにより観賞者の気持ちを落ち着かせることができる。さらに、本考案に設置する発光装置は制御スイッチの制御により、色彩の変化する灯光を火山上方へと照射可能で、造形火山の連続した爆発現象を組合わせることにより、感覚器官への刺激を増強し、その活力を活性化することができる。また、本考案は使用時に、USBコンセントの接続により、コンピュータから直接電流の供給を受け、一般の電源コンセントの使用量を減少させることができる。
【考案を実施するための最良の形態】
【０００６】
図１〜３に示すように、本考案の火山造形の観賞用水槽セット１はケース体２、透明ボックス３、駆動装置４、光電制御組５を含む。
該ケース体２は長方形体で、前ケース体２１、後ケース体２２により構成する。該前ケース体２１の前面は弧状を呈し、前面の上方には四角形の展示窓２１１を設置する。
該透明ボックス３は長方形体で、該ケース体２内部に結合する。両者の結合固定後には、該透明ボックス３前面の大部分の面積は、該展示窓２１１より外部へと出現する。該透明ボックス３の上端には注水口３１を設置し、液体３２（水など）及び複数の微小粒子３３を該透明ボックス３内部に入れる。該注水口３１の上方は封鎖蓋３４により封じ密封する。
該透明ボックス３の内部壁面には造形火山３５を固定する。該造形火山３５の内部には導流管３６を設置し、該導流管３６の上半部分は円管となる。下半部分は下に向かい徐々に広くなるラッパ状を呈する。
また該透明ボックス３の底端には錐部３７を設置し、重力の作用により、該複数の微小粒子３３は下へと滑り移動し集中する。該錐部３７の中央部は平面で、その上端には上向きの錐管３８を設置する。該錐管３８は該導流管３６と同軸に設置する。該錐部３７の錐面上には複数の貫通孔３９を設置し、その口径は該微小粒子の直径より小さいため、該透明ボックス３内の液体３２は下に向かい流動し、該複数の微小粒子３３は該錐部３７上に集中する。
【０００７】
該駆動装置４は該透明ボックス３の錐部３７下方に結合し、上端が開放した底ボックス４１、横方向に設置するモーター４２を含む。該底ボックス４１の上端は該錐部３７の該錐管３８、該貫通孔３９は連通状態を呈する。該モーター４２が該底ボックス４１上に固定される時、その両端はそれぞれ該底ボックス４１の内外両側に位置し、該モーター４２の該底ボックス４１内側に位置する一端には複数の羽片４２１を設置する。
該光電制御組５は発光組５１、回路板５２を含む。
該回路板５２は該ケース体２内部に結合し、該発光組５１は該後ケース体２２の上端に結合する。該発光組５１は複数の異なる色の発光ダイオード(LED)５１１により構成する。該回路板５２と該発光組５１、該モーター４２は電気的に接続し、それぞれ該ケース体２前、後面の制御スイッチ５３、５４によりオン/オフを制御され、こうして該発光組５１と該モーター４２は作動する。
該光電制御組５は電池を設置し、或いはコンセントに差し込む方式で電力を供給する。また、実施例に示すように、該ケース体２上にはユニバーサルシリアルバス(USB)コンセント５５を設置し、コンピュータCPUに接続し、電流の提供を受けることもできる。
【０００８】
次に図２、４に示すように、使用者が該透明ボックス３内部に液体３２をいっぱいに充填し、該ケース体２背面の制御スイッチ５４をオンにすると、該横方向に設置するモーター４２は運転を開始する。これにより、該モーター４２一端の複数の羽片４２１は快速回転し、該底ボックス４１内の液体３２は上方へと流動する。次に該液体３２は、該透明ボックス３の錐部３７の貫通孔３９と錐管３８を経由し上に向かい、同時に大部分が該錐部３７上に集中している複数の粒子３３を連動する。さらに、該導流管３６のラッパ状下半部分の導引により上向きに噴出し、海底火山が爆発しているかのような風景を出現させる。
【０００９】
続いて図２、５に示すように、使用者が該ケース体２前面の制御スイッチ５３を押すと、該回路板５２の制御により、異なる色の発光ダイオード(LED)５１１が交互に点滅し、該造形火山３５の上方を照射する。この時、海底火山爆発の風景を対応させれば、該複数の粒子３３の反射により、多重変化効果を生み出すことができる(図６参照)。
【図面の簡単な説明】
【００１０】
【図１】本考案実施例の立体外観図である。
【図２】本考案実施例の部品分解図である。
【図３】本考案実施例の組合せ断面図である。
【図４】本考案実施例の使用状態図である。
【図５】本考案実施例の別種の使用状態図である。
【図６】本考案実施例の完全作動時の使用状態図である。
【符号の説明】
【００１１】
１  火山造形の観賞用水槽セット
２  ケース体
２１  前ケース体
２１１  展示窓
２２  後ケース体
３  透明ボックス
３１  注水口
３２  液体
３３  粒子
３４  封鎖蓋
３５  造形火山
３６  導流管
３７  錐部
３８  錐管
３９  貫通孔
４  駆動装置
４１  底ボックス
４２  モーター
４２１  羽片
５  光電制御組
５１  発光組
５１１  発光ダイオード(LED)
５２  回路板
５３  制御スイッチ
５４  制御スイッチ
５５  ユニバーサルシリアルバス(USB)コンセント
【図１】
0003109592.tif 000003
【図２】
0003109592.tif 000004
【図３】
0003109592.tif 000005
【図４】
0003109592.tif 000006
【図５】
0003109592.tif 000007
【図６】
0003109592.tif 000008